(57)【要約】シールド性能を向上してダイレクトコンバージョン方式の受信装置におけるプリング問題を解決することができる受信装置を提供する。高周波入力信号を増幅する増幅部３０と、増幅された高周波入力信号を同調させて目的の信号のみを通過させ目的外信号を除去するためのフィルタ部３４と、フィルタ部からの高周波信号を直接変換して検波するダイレクトコンバージョン部３６を搭載した基板２０と、基板２０に対して固定されフィルタ部から生じる高周波の電磁波の空間輻射を防ぐためにフィルタ部と他の部分との境界部分に立ててフィルタ部を囲む第１高周波シールド部９０と、第１高周波シールド部９０により囲まれているフィルタ部に対面するように接近して配置されて、フィルタ部３４から生じる高周波の電磁波の空間輻射の漏洩を第１高周波シールド部９０とにより防止する第２高周波シールド部６０を備える。
2004012446.tif 000002
【特許請求の範囲】
【請求項１】
高周波入力信号を増幅する増幅部、該増幅部により増幅された高周波入力信号から目的の信号のみを通過させるフィルタ部、および前記フィルタ部からの出力信号を検波する検波部が配置される基板であって、該基板に配置される前記フィルタ部と該フィルタ部の周囲との境界にあけられる穴の近傍に基準電位のランドを有する基板と、
金属板により形成されたシールド板部、および前記基板に形成された穴に挿入され、はんだ付けにより前記基準電位のランドに接続されるとともに、前記シールド板部に設けられる突起部を有し、前記フィルタ部を前記シールド板部により取り囲むシールドケースと、
前記シールドケースのシールド板部にかぶせられる金属のシールドカバーと
を備えていることを特徴とする受信装置。
【請求項２】
さらに、前記検波部からのトランスポートストリームを復調するデジタル復調部を有することを特徴とする請求の範囲第１項記載の受信装置。
【請求項３】
前記シールドカバーの一部が切り下げられ、落とし込み蓋状に形成され、前記フィルタ部を覆う主面部と、前記主面部の両端部に向かい合うように形成され、前記主面部から所定の高さに立上げられ、前記シールドケースのシールド板部に面接触するよう配置される第１面接触部および第２面接触部を有し、前記第１面接触部は前記主面部と前記シールドカバーの切り下げられていない部分との境に設けられることを特徴とする請求の範囲第１項に記載の受信装置。
【請求項４】
前記シールドカバーの第２面接触部は、前記シールドケースにかぶせたときに前記シールドケースから抜けないよう、前記主面部に対して直角よりさらに角度を付けて形成されることを特徴とする請求の範囲第３項記載の受信装置。
【請求項５】
請求の範囲第１項記載の受信装置を備えるテレビジョン受像機において、
さらに、前記検波部の出力からトランスポートストリームを復調するデジタル復調部と、
該デジタル復調部からのトランスポートストリームに多重されるデータから希望する番組の圧縮データを分離するデータ分離部と、
該データ分離部からの番組の圧縮データを伸長するＭＰＥＧ復調部と、
該ＭＰＥＧ復調部からの伸長されたデータを映像出力信号に変換する画像処理部と、
該画像処理部からの映像出力信号を表示する表示部と
を備えていることを特徴とするテレビジョン受像機。
【発明の詳細な説明】
【技術分野】  本発明は、受信アンテナを介して高周波入力信号を受信するための受信装置およびこの受信装置を有するテレビジョン受像機に関するものである。
【背景技術】  高周波入力信号を受信する受信装置を有する電子機器の一例として、テレビジョン受像機を例に挙げる。テレビジョン受像機は、受信アンテナを介して高周波入力信号を受信する受信装置を備えている。
従来用いられている受信装置は、図１１に示すようないわゆるヘテロダイン方式のものが採用されている。
図１１に示すヘテロダイン方式では、アンテナ１０００に対して高周波入力信号ｆが入ってくる。この高周波入力信号ｆは、混合周波数ｆ１により混合されて選局されることにより、（ｆ−ｆ１）である中間周波数が得られる。この中間周波数（ｆ−ｆ１）は、さらにフィルタなどを通した後に一定の周波数ｆ２により混合されて、（（ｆ−ｆ１）−ｆ２）のベースバンドが得られる。このベースバンドの周波数は、ＤＣ（直流）から数１０ＭＨｚまでのレンジを有している。
なおこの場合のｆ，ｆ１，ｆ２の関係は、ｆ＝ｆ１＋ｆ２である。
ところが、上述したようなヘテロダイン方式では、部品点数が多く周波数変換を何度も行なうために、コスト高になってしまう。
そこで図１２に示すように部品点数が少なく構造の簡単なダイレクトコンバージョン方式（直接変換方式）が採用され始めている。この直接変換方式では、受信アンテナ１０１０に対して高周波入力信号ｆが入力されると、選局周波数と同じ混合周波数ｆ１がこの高周波入力信号と混合され差信号が取り出されることにより、（ｆ−ｆ１）というベースバンドが得られるのである。
なおこの場合のｆ，ｆ１の関係は、ｆ＝ｆ１である。
この種の受信装置は、図１３に示すように基板１０１６に対して増幅部１０２０、フィルタ部１０２４、ダイレクトコンバージョン部１０２６およびデジタル復調部１０３０が形成されている。この基板１０１６に対しては、シールドケース１０３０とシールドカバー１０４０が着脱可能に装着されており、このシールドケース１０３０とシールドカバー１０４０は基板１０１６の各要素を高周波的にシールドしている。
シールドカバー１０４０は、外周部に設けられた複数の爪１０６０を用いてシールドケース１０３０のリブ１０６１に対して引っ掛かるようにしてかみ合わせてあり、シールドカバー１０４０とシールドケース１０３０は接触してかつ相互に固定されている。
シールドケース１０３０は、枠部１０５５を有しており、この枠部１０５５の中央には中仕切り板１０５６が配置されている。枠部１０５５は複数の爪１０５０を有しており、この爪１０５０は、基板１０１６の凹部１０１７に対してはまり込むことにより、シールドケース１０３０が基板１０１６に対して固定できるようになっている。
これによって、基板１０１６の各機能ブロックである増幅部１０１７、フィルタ部１０２４、ダイレクトコンバージョン部１０２６およびデジタル復調部１０３０が囲まれてシールドされている。
シールドケース１０３０の中仕切り板１０５６は、例えばフィルタ部１０２４とダイレクトコンバージョン部１０２６の間をシールドするために配置されており、中仕切り板１０５６は基板１０１６のグランドに半田付けされることによって、シールド板として機能する。
【発明の開示】
しかしながら、従来のこのようなシールドカバー１０４０およびシールドケース１０３０の構造では、中仕切り板１０５６とシールドカバー１０４０との間に隙間ができてしまうので、高周波入力信号の周波数が高くなればなるほど、この中仕切り板１０５６とシールドカバー１０４０の間の隙間からの高周波の電磁波の漏洩が生じて、シールド効果が弱くなってしまう。
また高周波的に見ると、中仕切り板１０５６では、基板１０１６のグランドと半田付けしてある箇所が一番グランドインピーダンスが低いのであるが、この中仕切り板１０５６よりも遠い位置にあるシールドケース１０３０の部分は、グランドインピーダンスが高くなってしまう。
シールドカバー１０４０は、複数の爪１０６０およびシールドカバー１０４０のばね状押え１０７０のみがシールドケース１０３０側に接触しているだけであり、これ以外のシールドカバー１０４０とシールドケース１０３０は接触しておらず、グランドインピーダンスが低くなる部分がこのような複数の爪１０６０およびばね状押え１０７０以外には無い。
グランドインピーダンスが高い部分には高周波電流が誘起されやすく、この誘起された電流によって空間に高周波エネルギーが再度輻射されてしまうことがあり、従来のシールドカバーおよびシールドケースを用いたシールド効果が十分ではない。
ダイレクトコンバージョン方式の受信装置においては、受信周波数である高周波入力信号ｆとローカル周波数ｆ１は既に述べたように同一であり、受信装置の入力部に強レベルの高周波入力信号が入った場合に、初段の増幅部１０２０、さらには副同調バンドパスフィルタなどのフィルタ部１０２４において高周波エネルギーは非常に高いものとなる。特にフィルタ部１０２４は基板１０１６の回路のＱ値により、高周波エネルギーは空間に輻射され易い。ここで輻射されたエネルギーが選局部のローカル周波数を汚してしまうといういわゆるプリング（Ｐｕｌｌｉｎｇ）という問題が、ダイレクトコンバージョン方式の受信装置では発生してしまう。
そこで本発明は上記課題を解消し、シールド性能を向上してダイレクトコンバージョン方式の受信装置におけるプリング問題を解決することができる受信装置およびテレビジョン受像機を提供することを目的としている。
本発明は、高周波入力信号を増幅する増幅部、目的の信号のみを通過させるフィルタ部、およびこのフィルタ部からの出力信号を検波する検波部とが配置される基板であって、この基板に配置されるフィルタ部とこのフィルタ部の周囲との境界にあけられた穴の近傍に基準電位のランドを有する基板と、金属板により形成されたシールド板部、およびこの基板の穴に挿入され、はんだ付けにより基準電位のランドに接続され、シールド板部に設けられる突起部を有し、フィルタ部をこのシールド板部により取り囲むシールドケースと、このシールドケースのシールド板部にかぶせられる金属のシールドカバーとを備えていることを特徴とする受信装置である。
これにより、シールドケースの突起部が基板の基準電位のランドにはんだ付けされた状態で、シールドケースはフィルタ部と他の部分との境界部分に立ててフィルタ部を囲むことができる。そしてシールドカバーは、シールドケースにかぶせて配置されることにより、フィルタ部から生じる高周波の電磁波の空間輻射の漏洩を防止するので、ダイレクトコンバージョン方式の受信装置におけるプリング問題を解決することができる。
本発明は上述の受信装置において、このシールドカバーの一部が切り下げられ、落とし込み蓋状に形成され、フィルタ部を覆う主面部と、この主面部の両端部に向かい合うように形成され、主面部から所定の高さに立ち上げられ、シールドケースのシールド板部に面接触するよう配置される第１面接触部および第２面接触部を有し、この第１面接触部は主面部とシールドカバーの切り下げられていない部分との境に設けられることを特徴とする。
これにより、シールドケースのシールド板部に対して、シールドカバーは第１面接触部と第２面接触部により面接触するので、基板のシールド効果をさらに向上させることができる。
本発明は上述の受信装置において、シールドカバーの第２面接触部は、主面部に対して直角よりさらに角度を付けて形成されることを特徴とする。
これにより、シールドケースにかぶせたときにシールドケースから抜けないようにすることができる。
本発明は上述受信装置を備えるテレビジョン受像機において、さらに検波部の出力からトランスポートストリームを復調するデジタル復調部と、このデジタル復調部からのトランスポートストリームに多重されるデータから希望する番組の圧縮データを分離するデータ分離部と、このデータ分離部からの番組の圧縮データを伸長するＭＰＥＧ復調部と、このＭＰＥＧ復調部からの伸長されたデータを映像出力信号に変換する画像処理部と、この画像処理部からの映像出力信号を表示する表示部とをそなえていることを特徴とするテレビジョン受像機である。
本発明テレビジョン受像機では、基板は、高周波入力信号を増幅する増幅部と、増幅された高周波入力信号を同調させて目的の信号のみを通過させ目的外信号を除去するためのフィルタ部と、フィルタ部からの高周波入力信号をダイレクトコンバージョンして検波する検波部を搭載している。
シールドケースの突起部が基板の基準電位のランドにはんだ付けされた状態で、シールドケースはフィルタ部と他の部分との境界部分に立ててフィルタ部を囲むことができる。シールドカバーは、シールドケースにより囲まれているフィルタ部を覆って配置されるものである。このシールドカバーは、シールドケースとともにフィルタ部から生じる高周波の電磁波の空間輻射の漏洩を防止するものである。
これにより、ダイレクトコンバージョン方式の受信装置におけるプリング問題を解決することができる。
【図面の簡単な説明】  図１は本発明の受信装置を備える電子機器の一例を示す図。
図２は図１の受信装置の構造例を示す斜視図。
図３は図２の受信装置からシールドカバーを除去した状態を示す図。
図４はシールドカバーのみを示す斜視図。
図５はシールドカバーとシールドケースおよび基板の構造例を示す断面図。
図６はシールドカバーの構造を示す図。
図７はシールドカバーの構造を示す図。
図８はシールドカバーの落とし込み蓋状部分の形状例を示す図。
図９は本発明の受信装置の別の実施の形態を示す斜視図。
図１０は図９の受信装置におけるシールドカバー、シールドケースおよび基板の断面構造例を示す図。
図１１は通常用いられているヘテロダイン方式を示す図。
図１２はダイレクトコンバージョン方式を示す図。
図１３は従来用いられている受信装置を示す分解斜視図である。
【発明を実施するための最良の形態】    以下、本発明の好適な実施の形態を添付図面に基づいて詳細に説明する。
なお、以下に述べる実施の形態は、本発明の好適な例であるから、技術的に好ましい種々の限定が付されているが、本発明の範囲は、以下の説明において特に本発明を限定する旨の記載がない限り、これらの形態に限られるものではない。
図１は、本発明の受信装置が搭載されている電子機器の一例としてテレビジョン受像機を例に挙げている。
このテレビジョン受像機１４は、受信装置１０、データ分離部４２、ＭＰＥＧ復調部４４、画像処理部４６、および表示部４８を備えている。この受信装置１０は、基板（回路基板ともいう）２０を有しており、この基板２０は、増幅部３０、フィルタ部３４、ダイレクトコンバージョン部３６およびデジタル復調部４０を有している。
増幅部３０、フィルタ部３４、ダイレクトコンバージョン部３６およびデジタル復調部４０は、基板２０上に形成された機能ブロックである。増幅部３０は、コネクタ９０Ａを介して受信アンテナに接続されており、受信アンテナは、高周波入力信号ｆを受信するようになっている。この高周波入力信号ｆは、増幅部３０において増幅される。フィルタ部３４は増幅された高周波入力信号を同調させて目的の信号のみを通過させ目的外信号を除去するもので、フィルタ部３４は、選局周波数（ローカル周波数）ｆ１を発生している。
ダイレクトコンバージョン部３６は、高周波入力信号ｆからフィルタ部３４の発生しているローカル周波数ｆ１を引き算することにより、ベースバンド（ｆ−ｆ１）を発生させる。つまりダイレクトコンバージョン部３６は、増幅された高周波入力信号ｆを、フィルタ部３４が発生しているローカル周波数ｆ１により選局させて直接変換して検波する機能を有している。
デジタル復調部４０は、デジタル変調信号からトランスポートストリームを復調する機能を有している。
データ分離部４２は、このようにデジタル復調したトランスポートストリームに多重される映像情報、音声情報、番組特定情報、番組配列情報、およびデータ放送情報などをパケット単位でフィルタリングし、希望する番組の圧縮データを分離・選択する。
ＭＰＥＧ復調部４４は、データ分離部４２により分離された番組の圧縮データを伸長する。画像処理部４６は、ＭＰＥＧ復調部４４により伸長されたデータから映像出力信号を出力し、例えばプラズマディスプレイ等の表示部４８に画像を表示するようにしている。また音声情報は図示されない音声処理部により音声処理が施された後にスピーカなどを通じて出力される。
図２は、図１の受信装置１０の実際の形態例を示している。
この受信装置１０は、基板２０、シールドカバー６０、シールドケース９０を有している。
シールドカバー６０とシールドケース９０は、高周波の電磁波の漏洩を防止することが可能な例えば金属、一例としてアルミニウムにより作られている。シールドカバー６０はシールドケース９０の上から被せて着脱可能に取り付けられている。シールドケース９０は、基板２０に対して着脱可能に取りつけられている。
図３は、シールドケース９０のみが基板２０に対して取り付けられている状態を示しており、シールドカバー６０はシールドケース９０からは取り除かれている。図４は、シールドカバー６０の構造を示している。
図５Ａは、図２におけるＡ−Ａ線における断面形状例を示している。図５Ａに示すように基板２０の一方の面上には、増幅部３０、フィルタ部３４、ダイレクトコンバージョン部３６、デジタル復調部４０が順次形成されている。
図５Ｂは、シールドケース９０の突起１７０が基板２０の穴部１７３に挿入されはんだ付けされた状態を示している。
また、図５Ｃは、基板２０の他方の面を示し、基板２０の穴部１７３にシールドケース９０の突起１７０が挿入されているが、はんだ付けがされていない状態である。
図５Ｃに示すように基板２０の他方の面には、ほぼ前面にわたってグランドパターン１７１が形成されており、基板２０の穴部１７３の周りにラウンド１７５が設けられ、このラウンド１７５とシールドケース９０の突起１７０とがはんだ付けされることにより、シールドケース９０を固定するとともに、シールドケース９０がグランドパターン１７１に電気的に接続されるので、シールドケース９０を接地することができる。
このシールドケース９０にシールドカバー６０をかぶせることにより、フィルタ部から生じる高周波の電磁波の空間輻射の漏洩を効果的に防止することができる。
まず図２と図３を参照して、シールドケース９０の構造について説明する。
シールドケース９０は、例えばアルミニウム板を折り曲げおよび打抜きなどにより形成されたものであり、第１高周波シールド部に相当する。これに対して、シールドカバー６０は第２高周波シールド部に相当する。
第１高周波シールド部として機能するシールドケース９０は、図５に示す基板２０の各機能ブロックである増幅部３０、フィルタ部３４、ダイレクトコンバージョン部３６のそれぞれからの高周波の電磁波の空間輻射を防ぐために、上述した増幅部３０、フィルタ部３４、ダイレクトコンバージョン部３６を囲むようにして形成されている。
図３に示すようにシールドケース９０は、増幅部３０を囲む第１枠部１００、フィルタ部３４を囲む第２枠部１０１、そしてダイレクトコンバージョン部３６を囲む第３枠部１０２を有している。第１枠部１００、第２枠部１０１および第３枠部１０２は連続して形成されている。
第１枠部１００は、増幅部３０と他の部分との境界部分に立てて増幅部３０を囲むようにして形成されており、第１枠部１００は側面部１１０，１１１，１１２，１１３を有している。同様にして第２枠部１０１は、フィルタ部３４を他の部分との境界部分に立てて、フィルタ部３４を囲むために、第１シールド板部１１５、第２シールド板部１１７、第３シールド板部１１８および第４シールド板部１１９を有している。
図３に示す第１枠部１００の側面部１１０と側面部１１３は対面しており、側面部１１１と側面部１１２はやはり対面している。これらの４つの側面部１１０乃至１１３は増幅部３０と、他の部分であるフィルタ部３４とを区分けするようにして立てて形成されている。
第２枠部１０１の第１シールド板部１１５と第２シールド板部１１７は、対面しており、第３シールド板部１１８と第４シールド板部１１９も対面している。第１シールド板部１１５は、増幅部３０とフィルタ部３４の間の第１境界部分に立てて形成されている。第２シールド板部１１７は、フィルタ部３４とダイレクトコンバージョン部３６との間の第２境界部分に立てて形成されている。
第３シールド板部１１８と第４シールド板部１１９は、フィルタ部３４と外部との間に立てて形成されている。これによって第２枠部１０１は、矩形状のフィルタ部３４の四隅の境界部分を立てて高周波の電磁波のシールドができるように形成されている。なお、側面部１１３と第１シールド板部１１５は共通化した部分である。
次に、図３に示す第３枠部１０２は、ダイレクトコンバージョン部３６を囲むために、側面部１３０，１３１，１３２，１３３を有している。側面部１３０，１３２が対面しており、側面部１３１，１３３も対面している。側面部１３０は、フィルタ部３４とダイレクトコンバージョン部３６との境界部分に配置されている。側面部１３２は、ダイレクトコンバージョン部３６とデジタル復調部４０の間の境界部分に立てて設けられている。側面部１３１と側面部１３３は、ダイレクトコンバージョン部と外部との間に立てて設けられている。側面部１３０は第２シールド板部１１７と共通部分である。
その他に図３に示す第１高周波シールド部としてのシールドケース９０の４つの側面には、リブ１５０が基板２０のＸ方向とＹ方向に平行に突出して形成されている。図３では手前の一対のリブ１５０，１５０が図示されているが、向こう側の２面にも同じリブ１５０，１５０が形成されている。
さらに図５Ａに示すように、シールドケース９０は、第１シールド板部１１５と第２シールド板部１１７に複数の突起１７０を有している。これらの突起１７０は、図５Ｂ、５Ｃに示されるように、基板２０に形成された穴部１７３に対してはめ込まれ、穴部１７３の近くに設けられているグランドパターンのランドにはんだ付けされることにより接地され、シールドケース９０は、基板２０に対して突起１７０を介して取り付けられる。
次に、図２、図４および図６を参照して、第２高周波シールド部としてのシールドカバー６０の構造について説明する。
シールドカバー６０は、例えばアルミニウムなどの金属を折り曲げて形成したものであり、ほぼ長方形状の部材である。シールドカバー６０は、図３に示すシールドケース９０に対して図２に示すように上から被せて着脱可能に固定するものである。
シールドカバー６０は、第１高周波シールド部としてのシールドケース９０とにより、増幅部３０、フィルタ部３４、ダイレクトコンバージョン部３６およびデジタル復調部４０からの空間輻射の漏洩を防止するものである。特に、図５Ａに示すようにシールドカバー６０の主面部２００が、フィルタ部３４に対して対面するように接近することで、覆い被せることができる。これによって、フィルタ部３４から発生する高周波の電磁波が外部へ空間輻射するのを完全に防ぐ機能を有している。
図２のシールドカバー６０は、概略的には枠体２０１、主面部２００、第１面接触部２０２、第２面接触部２０３、および穴２０４などを有している。
枠体２０１は、長方形状を形成しており、図６に示すように、その４つの側面には、それぞれ複数の爪２２０，２３０，２４０，２５０が下方に向けて形成されている。図７（Ａ）は図６のＣ−Ｃ線における断面図であり、図７（Ｂ）は、図６におけるＢ−Ｂ線における断面図である。
図６（Ａ）と図２に示すように、第１面接触部２０２と第２面接触部２０３および主面部２００は、枠体２０１の両面部２０６を切り込むことにより、落とし込み蓋状部分２１０になっている。
図５Ａに示すように、この落とし込み蓋状部分２１０は、フィルタ部３４に対面する位置に設けられている。そして第１面接触部２０２が表面部２０６に対して直角に曲げられており、主面部２００は第１面接触部２０２に対してさらに直角に折り曲げられており、第２接触部２０３は主面部２００に対してさらに直角に折り曲げられている。従って、落とし込み蓋状部分２１０は、ほぼ断面で見てＵ字型を有している。
第１面接触部２０２の内面は、シールドケース９０の第１シールド板部１１５の外面と面接触している。第２面接触部２０３の内面はシールドケース９０の第２シールド板部１１７の外面に対して面接触している。
そして主面部２００は、フィルタ部３４のわずかに隙間の空いた位置に対面して、すなわち接近して配置されている。
これによって、フィルタ部３４が発生する高周波の電磁波は、図３に示す第１シールド板部１１５、第２シールド板部１１７、第３シールド板部１１８、第４シールド板部１１９と、図５に示す主面部２００、第１面接触部２０２および第２面接触部２０３により外部へ空間輻射するのを完全に防ぐことができるのである。
図５Ａに示すように第２面接触部２０３の端部は、Ｌ字形の折り曲げ部２０３Ａとなっており、この折り曲げ部２０３Ａが、第２シールド板部１１７の上端面に対して突き当てられている。これによって、主面部２００は、フィルタ部３４に対して接近した状態で基板２０に対して平行に位置決めして配置できるのである。シールドケース９０は、アンテナ４５に接続するためのコネクタ９０Ａを有している。
穴２０４は、ダイレクトコンバージョン部３６の位置に対面して形成されている。
図２と図６に示すようにこのシールドカバー６０は、上述したような爪２２０，２３０，２４０，２５０を有しているが、これらの爪は、対応する位置に形成された図２のシールドカバー６０のリブ１５０に対してかみ合わせることにより、シールドカバー６０はシールドケース９０に対して着脱可能に被せるようにして固定することができる。
上述したように本発明の実施の形態の受信装置は、いわゆるダイレクトコンバージョン方式を採用しているが、この受信装置１０において、副同調バンドパスフィルタなどを有しているフィルタ部３４が、他の部分に比べて大きい高周波エネルギーを副次的に輻射してしまう。
従って、この図２の実施の形態では、シールドケース９０およびシールドカバー６０は、この最も高い高周波エネルギーを副次的に輻射するフィルタ部３４のみならず、図５Ａに示すように増幅部３０、ダイレクトコンバージョン部３６に対してもシールドできるようなシールドカバー６０およびシールドケース９０の構造を有している。
特に、シールドカバー６０とシールドケース９０は、最も高い高周波エネルギー（高周波の電磁波）を発生するフィルタ部３４に対して上述したような落とし込み部分２１０を設けて、シールドカバー６０の落とし込み部分２１０の第１面接触部２０２と第２面接触部２０３および主面部２００と、シールドケース９０の図３に示す第１シールド板部１１５、第２シールド板部１１７、第３シールド板部１１８および第４シールド板部１１９を組み合わせることにより、フィルタ部３４からの高周波エネルギーの外部空間への輻射を防ぐのである。
図５Ａに示すように第１面接触部２０２が第１シールド板部１１５に面接触しており、しかも第２面接触部２０３が第２シールド板部１１７に面接触している構造を採用しているので、シールドカバー６０とシールドケース９０の隙間がフィルタ部３４において発生するのを防ぎ、フィルタ部３４が発生する高周波の電磁波の漏洩を防止することができる。
シールドカバー６０とシールドケース９０は、落とし込み蓋状部分２１０の第１面接触部２０２、第２面接触部２０３とシールドケース９０の第１シールド板部１１５と第２シールド板部１１７を用いて面接触している。このことから、高周波的に見て一番グランドインピーダンスが低い場所である第２シールド板部１１７と基板２０のグランドとが半田付けしてある箇所の近傍にて、シールドカバー６０と仕切り板としての第２シールド板部１１７との間に強固な面接触部分が構成できる。従ってシールドカバー６０のグランドインピーダンスの大幅な減少を図ることができる。そしてグランドインピーダンスの減少を図ることにより、高周波電流の誘起を抑制して、その結果高周波の電磁波の再輻射の大幅な低減が図れる。
図２に示す実施の形態では、第２高周波シールド部としてのシールドカバー６０は、シールドケース９０の全体を覆うような大きさを有しているものである。
図８に示すように、落とし込み蓋状部分２１０の第２面接触部２０３は、開放状態では図８に示すようにθ分だけ傾けて形成されている。この状態で、図５に示すように落とし込み蓋状部分２１０をシールドケース９０の第１シールド板部１１５と第２シールド板部１１７の間に強制的に差し込むことにより、第２面接触部２０３の弾発力を利用して、落とし込み蓋状部分２１０がシールドケース９０から抜けないようにはめ込むことができるのである。
図９と図１０は、本発明の別の実施の形態を示している。
図９と図１０の実施の形態では、第２高周波シールド部としてのシールドカバー３６０が、図２に示すシールドカバー６０に比べて小型になっている。このシールドカバー３６０は、シールドケース９０に対して爪２２０を用いてリブ１５０に対して着脱可能に取り付けられている。
シールドカバー３６０は、図１０に示すようにフィルタ部３４に対面する部分のみの構造である。図９と図１０に示すシールドケース９０の構造は、図２に示すシールドケース９０の構造と同じ物を採用できる。また基板２０も図２に示す基板２０と同じである。
シールドカバー３６０は、枠体３０１と、落とし込み蓋状部分３１０を有している。この落とし込み蓋状部分３１０は、第１面接触部２０２、第２面接触部２０３および主面部２００を有している。従って落とし込み蓋状部分３１０の構造は、図２に示す落とし込み蓋状部分２１０の構造とほぼ同じである。
図１０に示すように、第１シールド板部１１５は、第１面接触部２０２に面接触している。同様にして第２シールド板部１１７は、第２面接触部２０３に面接触している。主面部２００はフィルタ部３４に対して僅かな隙間を置いて対面している。
このような構造を採用することにより、シールドカバー３６０の形状を小さくすることができ、特に高周波の電磁波を副次的に発生するフィルタ部３４からの輻射を防ぐことができる。
本発明の実施の形態では、いわゆるダイレクトコンバージョン方式の受信装置において、特に高周波の電磁波を副次的に輻射してしまうフィルタ部におけるシールド性能を向上することができ、ダイレクトコンバージョン方式の受信装置におけるプリング問題を解決することができる。
シールド性能の向上により、受信装置の外部からの電磁波妨害があったとしても、この電磁波の進入を軽減することができる。
シールドカバーは落とし込み蓋状部分を有していることから、シールドカバーとシールドケースとの組立は、この落とし込み蓋状部分を用いることにより、シールドカバーとシールドケースの相互の位置出しが簡単にでき組み立てが容易になり、組立作業効率を改善できる。
本発明の実施の形態では、ダイレクトコンバージョン方式の受信装置において、増幅部（アンプ回路部）と、その後のフィルタ部（フィルタ回路部とも呼ぶ）をシールドカバーで覆う場合に、フィルタ部に対して落とし込み蓋状部分を配置することにより、フィルタ回路からの高周波の電磁波の空間への輻射を抑制することができる。
ところで本発明は上記実施の形態に限定されるものではない。
上述した実施の形態では、受信装置は電子機器の一例としてテレビジョン受像機に搭載されている。しかしこれに限らず他の種類の電子機器であっても本発明の受信装置は適用できるものである。
引用符号の説明
１０・・・受信装置
１４・・・テレビジョン受像機
２０・・・基板
３０・・・増幅部
３４・・・フィルタ部
３６・・・ダイレクトコンバージョン部
６０・・・シールドカバー（第２高周波シールド部）
９０・・・シールドケース（第１高周波シールド部）
１１５・・・第１シールド板部
１１７・・・第２シールド板部
１１８・・・第３シールド板部
１１９・・・第４シールド板部
２００・・・主面部
２０２・・・第１面接触部
２０３・・・第２面接触部
２１０・・・落とし込み蓋状部分
【図１】
2004012446.tif 000003
【図２】
2004012446.tif 000004
【図３】
2004012446.tif 000005
【図４】
2004012446.tif 000006
2004012446.tif 000007
【図６】
2004012446.tif 000008
2004012446.tif 000009
【図８】
2004012446.tif 000010
【図９】
2004012446.tif 000011
【図１０】
2004012446.tif 000012
【図１１】
2004012446.tif 000013
【図１２】
2004012446.tif 000014
【図１３】
2004012446.tif 000015
【手続補正書】
【提出日】平成15年12月19日(2003.12.19)
【手続補正００１】
【補正対象書類名】特許請求の範囲
【補正対象項目名】特許請求の範囲
【補正方法】変更
【補正の内容】
【請求項１】（補正後）高周波入力信号を増幅する増幅部、該増幅部により増幅された高周波入力信号を同調させて目的の信号のみを通過させるフィルタ部、および前記フィルタ部からの高周波信号に対して同じ周波数のローカル周波数信号を混合して差信号であるベースバンド信号を得るダイレクトコンバージョン部が配置されるとともに、前記フィルタ部の周囲に設けられるシールドケース用の穴の周りに基準電位のランドを有する基板と、
金属板により形成され、前記増幅部、フィルタ部およびダイレクトコンバージョン部を囲むシールドケースであって、さらに前記フィルタ部を取り囲む枠部と該枠部に形成され前記基板に形成された穴に挿入される突起とを有し、該突起がはんだ付けにより前記基準電位のランドに接続されるシールドケースと、
前記フィルタ部を取り囲む枠部をすくなくとも覆う金属のシールドカバーであって、前記フィルタ部に接近するよう落とし込み蓋状に形成されるシールドカバーと
を備えていることを特徴とする受信装置。
【請求項２】（補正後）さらに、前記ダイレクトコンバージョン部の出力からトランスポートストリームを復調するデジタル復調部が前記基盤に配置されることを特徴とする請求の範囲第１項記載の受信装置。
【請求項３】（補正後）前記シールドカバーは、切り下げられて落とし込み蓋状に形成される落とし込み蓋部と、該落とし込み蓋部を切り下げることにより形成された枠部とを有し、
前記落とし込み蓋部は前記フィルタ部を覆う主面部、該主面部と前記枠部との間に形成され前記枠部に面接触する第１面接触部および該第１面接触部に向かい合うように形成され前記枠部に面接触する第２面接触部を有することを特徴とする請求の範囲第１項に記載の受信装置。
【請求項４】（補正後）前記第２面接触部は、前記シールドケースにかぶせられたときに前記シールドケースから抜けないような角度で形成されることを特徴とする請求の範囲第３項記載の受信装置。
【請求項５】請求の範囲第１項記載の受信装置を備えるテレビジョン受像機において、
さらに、前記検波部の出力からトランスポートストリームを復調するデジタル復調部と、
該デジタル復調部からのトラシスポートストリームに多重されるデータから希望する番組の圧縮データを分離するデータ分離部と、
該データ分離部からの番組の圧縮データを伸長するＭＰＥＧ復調部と、
該ＭＰＥＧ復調部からの伸長されたデータを映像出力信号に変換する画像処理部と、
該画像処理部からの映像出力信号を表示する表示部と
を備えていることを特徴とするテレビジョン受像機。




【国際調査報告】
2004012446.tif 000016
2004012446.tif 000017
2004012446.tif 000018
2004012446.tif 000019